(57)【要約】      （修正有）【課題】ピアスを付けたままで髪を拭く、梳く、結ぶ、洗う時に手、櫛やタオルがピアスに当たって耳に痛みを伴うことを防止できるピアスの引っかかり、痛み防止器具を提供する。【解決方法】ヘアークリップを変形させた形を有し、二個のツメ２を直線又は、緩やかな曲線にして、ツメの内側には肌に優しい柔らかい材質のシリコン、ウレタン、メラミン、合成樹脂製などで、いろいろな種類や大、中、小の大きさの長方体の厚めに形成した耳の当て材６を用意し、当て材をツメに接着や面ファスナーで接合してピアスをつけた耳にかぶせる。穴や隙間をあけた他の材質の素材を付けてツメを入れたり木口面の上辺より下辺へ二分の一から三分の一のところへ穴や隙間を開けてツメを入れてもよい。使用する人が選んで交換可能とする。【選択図】図２
0003219660.tif 000002
【実用新案登録請求の範囲】
【請求項１】
ヘアークリップを変形さした形状であり、ものをつかんで止める１〜９個のツメの部分を直線、又は、緩やかな曲線にしておいて、二個のツメの内側に長方体で厚めの肌のやさしい材質の素材の当て材を接合、はめ込んでおく、その接合、はめ込む方法は長方体の当て材の長さ方向や横方向の上面又は下面にツメが入る穴や隙間をつくった他の材質の素材を付けておく方法と、当て材の長さ方向の木口面の上辺より下辺に向かって二分の一から三分の一の厚みの位置にツメの形と長さの穴や隙間をつくっておいてツメを入れ込めるようにしておく方法であり、当て材は防水性であり、肌に優しい材質の素材にして、大、中、小の大きさの形や香水の入った当て材も用意して、ゴミがついた時は手洗いができて、傷んだ時やピアスの大きさなどにも対応でき、交換して使用することが可能であることを特徴とする、ピアスの引っかかり、痛み防止器具。
【請求項２】
ヘアークリップを変形さした形状であり、ものをつかんでとめる１〜９個のツメの部分を直線、又は、緩やかな曲線にしておき、二個のツメの内側にそれぞれの長方体で厚めの肌にやさしい材質の素材の当て材を接着やマジックテープなどで接合させておき、当て材は防水性で手洗いができる肌に優しい材質の素材にして、大、中、小の形と香水の入った当て材も用意して、接着やマジックテープなどで接合させて使用することを特徴とする、ピアスの引っかかり、痛み防止器具。
【請求項３】
ヘアークリップを変形さした形状であり、ものをつかんでとめる１〜９個のツメの部分を直線、又は、穏やかな曲線にしておき、そのツメを入れる当て材は長方体で上面、又は、下面に半円状の引っかけヒモ、又は、引っかけゴムヒモを縦や横方向に並列に、数段、数個を付けておいてツメを入れることができて、当て材は防水性でゴミや汚れた時は手洗いができ、肌にやさしい材質の素材にして、大、中、小の形と香水の入った当て材も用意して、傷んだ時やピアスの大きさなどにも対応でき、交換して使用することが可能であることを特徴とする、ピアスの引っかかり、痛み防止器具。
【考案の詳細な説明】
【技術分野】
【０００１】  ピアスを付けた後、髪を拭く、梳く、結ぶ、洗う時に耳に付けたピアスが引っかかって痛みを伴うので、痛みを軽減してなくすることに関することである。
【背景技術】
【０００２】  耳を防御する器具は存在する。
【先行技術】
【０００３】  次のように存在する。
１、  髪を染める時に耳にかぶせるゴム輪付きのビニール袋、かぶせ袋、ただし、薄い      ので硬いものが当るとピアスにふれる。
２、  耳バンド式耳カバーで耳全体を覆う、被る、寒冷地で使用をする耳バンド式カバ      ー。
３、  ヘッドホン式耳カバーで耳の全体を覆う、後ろの首にかける、頭にかける、顎の      前にかける、いろいろなかける方法がある。
４、  眼帯式、マスク式の耳カバー；ゴムヒモでクビ、顎、耳下や鼻などへ掛けて、マ      スク型の容器を耳にかける。
【考案の概要】
【０００４】  ヘアークリップ状の形で物をつかむ二個のツメの内側に、肌に優しい材質の素材でつくった、長方体で厚めの厚さの当て材を接合しておく。その接合方法は当て材をツメの内側に接着やマジックテープで接合しておく、又は、当て材の片方の面にツメを入れる穴や隙間を開けた他の材質の素材を付けておく方法や数個の半円状の引っかけヒモを長さ方向に並列、数段、数個を付けておく方法や当て材の長さ方向の木口面の上辺より下辺へ二分の一から三分の一のところへツメを入れる穴や隙間を開けておく方法により、ツメを差し込んで使用する。当て材が傷んだりした時に交換したり、大、中、小の大きさにしたり、香水入りの当て材にも交換できるようにして、髪を拭く、梳く、結ぶ、洗う時に耳に付けたピアスの引っかかりの痛みを防止することを特徴とする、ピアスの引っかかり、痛み防止器具。
【考案が解決しようとする課題】
【０００５】  ピアスを付けて髪を拭く、梳く、結ぶ、洗う時に手、櫛やタオルが耳に付けたピアスに当たって痛いので、ピアスへの引っかかりをなくして、痛みをなくする方法があれば日々、快適な生活を送ることができる。
【考案を解決するための手段】
【０００６】  ヘアークリップとは物や毛髪などを挟んでとめる小型の器具のことである。本考案はそのヘアークリップを変形さした形で、二個の交互に交差する大きく膨らみを持たせて曲げた１〜９個の骨組のツメを変形して曲げずに直線、又は、緩やかな曲線にして１〜９個のツメと短い二個の取手とそれを支える蝶番型の支点とその間にあるキックバネとで構成する。ツメを開けた時は開口部が１５０〜１７０度になり、クリップを挟むツメの内側には肌に優しい材質の素材でシリコン、ウレタン、メラミン、合成樹脂製などでつくった、厚めの長方体の当て材を接合しておく。ツメとの接合方法は▲１▼、長方体の厚めの当て材をツメの内側に接着やマジックテープなどで接合する。▲２▼、長方体の当て材の長さ方向の木口面の上面に１〜９個のツメを入れる隙間、穴をあけておいた他の材質の素材を付けておく。▲３▼、厚みのある長方形の当て材の長さ方向の木口面より上辺から下辺に向かって二分一から三分の一の厚みのところにツメを入れる隙間、穴をあけておく。▲４▼、長方体の当て材の上面、又は、下面に半円状の引っかけヒモ、又は、引っかけゴムヒモを長さ方向に並列に、数段、数個つけておく。従って、▲１▼を除いて、当て材は取り換えや手洗いが可能であり、肌に優しい材質で防水性であり、大きさも大、中、小として、更に、香水の入った当て材も用意していつでも取り換え交換できて、ピアスを付けた耳の痛みを和らげるとともに、なくすることを特徴とする、ピアスの引っかかり、痛み防止器具。
【考案の効果】
【０００７】  髪を拭く、梳く、結ぶ、洗う時にピアスを付けた耳たぶや耳に本考案をかぶせてカバーしたら，痛みのない快適な生活の日々を送ることができる。更に、耳に当てる当て材を手洗いできて、いろいろな種類に交換できるので、男女を問わずピアスを付けている人々には便利となる。
【図面の簡単な説明】
【０００８】
【図１】正面図  （１）開けた図  （２）閉じた図
【図２】側面図  （１）開けた図  左、右  （２）閉じた図  左、右
【図３】上からの図  閉じた時
【図４】下からの図  閉じた時
【図５】耳たぶに付けた図
【図６】耳全体に付けた図
【図７】クリップのツメと当て材を接合した図  （１）当て材をツメの内側に接着した図  （２）当て材の上面につけたツメの形の穴、隙間の素材にツメを入れた図  （３）当て材の長さ方向の木口にあけたツメの形の穴、隙間にツメを入れた図  （４）当て材の上面、又は、下面に数個の半円状の引っかけヒモ、又は、引っかけゴムヒモをつけて、それにツメを入れた図
【符号の説明】
【０００９】  ▲１▼  変形ヘアークリップの取手
▲２▼  変形ヘアークリップのものをつかむツメ
▲３▼  変形ヘアークリップのツメと取手をつなぐ箇所
▲４▼  変形ヘアークリップの支点
▲５▼  変形ヘアークリップのバネ
▲６▼  耳の当て材
▲７▼  ツメを差し込む隙間、穴
▲８▼  耳たぶ
▲９▼  耳介
▲１０▼  ツメと当て材を接着、接合する部分
▲１１▼  鼻
▲１２▼  ピアス
▲１３▼  半円状の引っかけヒモ、又は、ゴムヒモ
【考案を実施するための形態】
【００１０】  次の順序で実施する。
１、本考案の物をつかんでとめる二個のツメを開けて、いろいろな当て材を選んでツメに    差し込み、入れる。
２、ピアスをつけた片耳又は、両耳に本考案を開けて、かぶせてつける。
３、髪を拭く、梳く、結ぶ、洗う。
４、終わったら、本考案を耳から解く。
５、本考案、及び当て材を洗って、乾燥させて保管しておく。
【産業上の利用可能性】
【００１１】  若い人を問わず今、耳に付けるピアスは大変に人気である。しかし、はずしたり、付けたりするのは大変に面倒であるので、そのままにして髪を拭く、梳く、結ぶ、洗う。特に、ピアスを開ける際に使われるピアス（ファーストピアス）は、耳にあけた穴が安定するまで取ることはできない。その時には手、櫛やタオルがピアスに当たって痛みを伴うので、本考案を使用してピアスを付けた耳をカバーすれば痛みのない、ストレスのない毎日を送ることに寄与する。
【図１】
0003219660.tif 000003
【図２】
0003219660.tif 000004
【図３】
0003219660.tif 000005
【図４】
0003219660.tif 000006
【図５】
0003219660.tif 000007
【図６】
0003219660.tif 000008
【図７】
0003219660.tif 000009
【手続補正書】
【提出日】平成30年10月29日(2018.10.29)
【手続補正１】
【補正対象書類名】実用新案登録請求の範囲
【補正対象項目名】全文
【補正方法】変更
【補正の内容】
【実用新案登録請求の範囲】
【請求項１】
ピアスの引っかかりによる痛み防止器具であって、物や毛髪を挟んでとめるヘアークリップ状の形を有し、当該ヘアークリップ状の形のうち、物を挟んでとめる１〜９個のツメの部分を直線又は緩やかな曲線で構成されるようにし、当該ツメの内側には長方体で厚めの肌にやさしい材質の素材の当て材が接合されるように構成し、前記当て材は、その長さ方向や横方向の上面又は下面に、前記ツメが入る穴や隙間を有する他の材質の素材が付けられている、又は、前記当て材は、その長さ方向の木口面の上辺より下辺に向かって二分の一から三分の一の厚みの位置に、前記ツメの形と長さを有する穴や隙間を備えるようにすることによって、前記ツメに前記当て材が接合されるように構成されており、さらに、前記当て材は、防水性を有するとともに、大、中、小の大きさの形や香水の入った当て材を用意しておき、その中から取り換え交換可能になるように構成することによって、ゴミがついた時は手洗いができて、傷んだ時やピアスの大きさなどにも対応できるようにしたことを特徴とする、ピアスの引っかかりによる痛み防止器具。
【請求項２】
請求項１に記載のピアスの引っかかりによる痛み防止器具であって、前記当て材は、接着又は面ファスナーにより接合されることを特徴とする、ピアスの引っかかりによる痛み防止器具。
【請求項３】
請求項１に記載のピアスの引っかかりによる痛み防止器具であって、前記当て材は、長方体であり、素の上面又は下面に半円状の引っかけヒモ又は引っかけゴムヒモをタテや横方向に並列に、数段、数個を付けておくことを特徴とする、ピアスの引っかかりによる痛み防止器具。